(57)【要約】【課題】２剤を確実に分離することができかつ混合操作が容易な２剤混合容器を提供する。【解決手段】下端開放の胴部４を有する容器体２の口頸部６に吐出装置１０を装着し、かつ胴部４の下部内面に液密に嵌合された周壁部４２の上面を、上底壁部４８で閉鎖するとともに、周壁部４２内に昇降可能に下底壁部６０を嵌合してなる底部材４０と、周壁部４２に対して押上げ可能な基盤７４と、上記底部材の周壁部と基盤との間に嵌挿されるストッパ８０とを具備する。上記基盤の押し上げにより下底壁部が上昇する。上記上底壁部に開口した栓孔５０を、下底壁部から起立する栓棒６８の上端部の栓体７０で液密に閉塞する。上底壁部４８の上面と上底壁部４８より上方の容器体部分内面とで囲まれる空間を第１剤収納室Ａに、上底壁部４８と下底壁部６０とで挟まれる空間を第２剤収納室Ｂにそれぞれ形成する。【選択図】図１
2015009878.tif 000002
【特許請求の範囲】
【請求項１】
下端開放の胴部(４)から口頸部(６)を起立した容器体(２)と、
上記口頸部(６)に装着され、胴部(４)内の内容物を吸込み口(２６)から吸い込むとともに、口頸部(６)の上方に開口するノズル(３２)から吐出するように設けた吐出装置(１０)と、
胴部(４)の下部内面に液密に嵌合された周壁部(４２)の上面を、上底壁部(４８)で閉鎖するとともに、周壁部(４２)内に昇降可能にかつ液密に下底壁部(６０)を嵌合してなる底部材(４０)と、
上記周壁部(４２)の下部に押上げによる上昇可能に取り付けられ、その押上げ力を下底壁部(６０)へ伝達することができるように当該下底壁部(６０)と別体又は一体として構成された基盤(７４)と、
上記底部材(４０)の周壁部(４２)と基盤(７４)との間に嵌挿されるストッパ(８０)と、
を具備し、
上記上底壁部(４８)に栓孔(５０)を開口するとともに、上記下底壁部(６０)から起立する栓棒(６８)の上端部の栓体(７０)で上記栓孔(５０)を液密に閉塞し、上底壁部(４８)の上面と上底壁部(４８)より上方の容器体部分内面とで囲まれる空間を第１剤収納室(Ａ)に、上底壁部(４８)と下底壁部(６０)とで挟まれる空間を第２剤収納室(Ｂ)にそれぞれ形成し、
上記ストッパ(８０)を外して、上記下底壁部(６０)を上昇させることで、栓孔(５０)が開いて、第１剤収納室(Ａ)と第２剤収納室(Ｂ)とが連通するように設けたことを特徴とする、２剤混合容器。
【請求項２】
上記ストッパ(８０)は、上記支持筒部(７６)の外面へ離脱可能に取り付けた平面視Ｃ字形のストッパ本体(８２)と、ストッパ本体(８２)の外面に形成した操作片(８４)とからなり、
上記下底壁部(６０)を、上記基盤(７４)から起立した支持筒部(７６)の上に載置するとともに、この支持筒部(７６)の外周面に、上記底部材(４０)の周壁部(４２)の下部から内方突出した内向きフランジ部(４６)を嵌合させており、
上記内向きフランジ部(４６)の下面と基盤(７４)との間にストッパ本体(８２)を挿入させたことを特徴とする、請求項１記載の２剤混合容器。
【発明の詳細な説明】
【技術分野】
【０００１】
本発明は、２剤混合容器に関する。
【背景技術】
【０００２】
この種容器として、容器体の内部を２室に仕切って各室に異なる薬剤をそれぞれ収納し、かつ一定の操作により仕切りを外して２室を連通させ、混合させるものが知られている。例えば特許文献１の容器は、容器体の胴部の上端開口にトリガー式液体吐出装置を装着するとともに、この吐出装置から胴部の底部側へ液体吸上げ管を垂下した液体吐出容器において、胴部の下半部を形成する大径周壁部から、上内方へ傾斜する段差を介して、胴部上半部である小径周壁部を形成するとともに、上記液体吸上げ管に付設して小径周壁部の下端部を閉塞する仕切り板を設けている。胴部全体は弾性材料で形成されており、容器の上部を押し下げることで、上記段差が下内方への傾斜状態へと弾性変形し、仕切り板が小径周壁部の下端から下方へ離脱し、２室が連通して２剤が混合するように構成している。
【先行技術文献】
【特許文献】
【０００３】
【特許文献１】特開平９−２５４９９０
【発明の概要】
【発明が解決しようとする課題】
【０００４】
特許文献１の構成によれば、外部からの不意の衝撃、例えば容器を床に落としたときの衝撃により、胴部が変形し、２剤が混合してしまう可能性がある。また、特許文献１の発明を適用するためには、胴部の下半部が大径、上半部が小径であるという特殊な形態を採用しなければならないため、胴部の径が一定である既存の普通の容器体に対して当該発明を適用することが困難である。
【０００５】
本発明の第１の目的は、２剤を確実に分離収納することができかつ混合操作が容易である２剤混合容器を提供することである。
本発明の第２の目的は、既存の一般的な形態の容器にも適用できる２剤混合容器を提供することである。
【課題を解決するための手段】
【０００６】
第１の手段は、
下端開放の胴部４から口頸部６を起立した容器体２と、
上記口頸部６に装着され、胴部４内の内容物を吸込み口２６から吸い込むとともに、口頸部６の上方に開口するノズル３２から吐出するように設けた吐出装置１０と、
胴部４の下部内面に液密に嵌合された周壁部４２の上面を、上底壁部４８で閉鎖するとともに、周壁部４２内に昇降可能にかつ液密に下底壁部６０を嵌合してなる底部材４０と、
上記周壁部４２の下部に押上げによる上昇可能に取り付けられ、その押上げ力を下底壁部６０へ伝達することができるように当該下底壁部６０と別体又は一体として構成された基盤７４と、
上記底部材４０の周壁部４２と基盤７４との間に嵌挿されるストッパ８０と、
を具備し、
上記上底壁部４８に栓孔５０を開口するとともに、上記下底壁部６０から起立する栓棒６８の上端部の栓体７０で上記栓孔５０を液密に閉塞し、上底壁部４８の上面と上底壁部４８より上方の容器体部分内面とで囲まれる空間を第１剤収納室Ａに、上底壁部４８と下底壁部６０とで挟まれる空間を第２剤収納室Ｂにそれぞれ形成し、
上記ストッパ８０を外して、上記下底壁部６０を上昇させることで、栓孔５０が開いて、第１剤収納室Ａと第２剤収納室Ｂとが連通するように設けた。
【０００７】
本手段では、図１に示すように胴部４内に底部材４０を嵌合するとともに、この底部材４０の周壁部４２及び支持部材７２の基盤７４との間にストッパ８０を嵌装しており、このストッパ８０を外して基盤７４を押し上げたときに基盤７４とともに底部材４０の下底壁部６０及び栓棒６８が上昇するように構成している（図３参照）。これにより、栓棒６８の上端の栓体７０が栓孔５０から離脱して、第１剤収納室Ａ及び第２剤収納室Ｂが連通する。下底壁部６０と基盤７４とは別体又は一体として形成できる。これについては後述する。また栓棒６８も、下底壁部６０と別体又は一体として形成することができる。
【０００８】
第２の手段は、第１の手段を有し、かつ
上記ストッパ８０は、上記支持筒部７６の外面へ離脱可能に取り付けた平面視Ｃ字形のストッパ本体８２と、ストッパ本体８２の外面に形成した操作片８４とからなり、
上記下底壁部６０を、上記基盤７４から起立した支持筒部７６の上に載置するとともに、この支持筒部７６の外周面に、上記底部材４０の周壁部４２の下部から内方突出した内向きフランジ部４６を嵌合させており、
上記内向きフランジ部４６の下面と基盤７４との間にストッパ本体８２を挿入させた。
【０００９】
本手段では、図４に示す平面視Ｃ字形のストッパ本体８２を有するストッパ８０を用いて支持部材７２の基盤７４と底部材４０の周壁部４２の内向きフランジ部４６との間に上記ストッパ本体８２が挿入されるように構成している（図２参照）。
【発明の効果】
【００１０】
第１の手段に係る発明によれば、ストッパ８０を容器体の胴部４と基盤７４との間に挿入したので、不意の衝撃によっても第１剤収納室及び第２剤収納室の仕切りが解除されて２剤が混合することがなく、また胴部内に挿入した底部材４０の内部に第２剤収納室を形成するから、既存の通常の形態の容器体にも適用できる。
第２の手段に係る発明によれば、内向きフランジ部４６の下面と基盤７４との間にストッパ本体８２を挿入させたから、容器体２の内容物の重さを十分に支持することができる。
【図面の簡単な説明】
【００１１】
【図１】本発明の第１実施形態に係る２剤混合容器の半縦断面図である。
【図２】図１の２剤混合容器の要部の断面拡大図である。
【図３】図１の２剤混合容器の作用説明図である。
【図４】図１の２剤混合容器の部材（ストッパ）の平面図である。
【図５】本発明の第２実施形態に係る２剤混合容器の要部の断面拡大図である。
【図６】図５の２剤混合容器の部材（ストッパ）の平面図である。
【発明を実施するための最良の形態】
【００１２】
図１から図４は、本発明の第１の実施形態に係る２剤混合容器を示している。この２剤混合容器は、容器体２と、吐出装置１０と、オーバーキャップ３４と、底部材４０と、支持部材７２と、ストッパ８０とで構成されている。これら各部材は、たとえば合成樹脂や金属で形成することができる。
【００１３】
容器体２は、下面開放の胴部４から肩部を介して口頸部６を起立している。
【００１４】
吐出装置１０は、装着筒部材１２と、ポンプ本体２０とで構成されている。装着筒部材１２は、上記口頸部６の外面に嵌合（図示例では螺合）された装着筒部１４と、装着筒部１４の上端に付設された内向きフランジ１６とを有し、この内向きフランジ１６と上記口頸部６との間にポンプ本体２０の鍔部２４及びパッキン１８を挟持することが可能に形成している。なお、上記内向きフランジ１６の外周部上面からはガイド筒部１７が起立されている。ガイド筒部１７の内側には、縦溝１７ａが縦設されている。
【００１５】
上記ポンプ本体２０は、上端に鍔部２４を有するシリンダ２２を有し、このシリンダ２２の下端に吸込み口２６を開口するとともに、シリンダ２２の内部を上方付勢されて昇降する筒状ピストン（図示せず）から起立するステム２８を起立し、このステム２８の上部にノズル３２付きの押下げヘッド３０を付設してなる。図示例では、押下げヘッド３０の外面下端に付設した係合突部３０ａを、上記縦溝１７ａ内に挿入して、ノズル３２の開口方向を規制している。上記シリンダ２２は、容器体２内に挿入された状態で上記装着筒部材１２により口頸部６に固定される。図示していないが、吐出装置１０は、押下げヘッド３０の上昇によりシリンダ２２内部が負圧化して、容器体２の内容物を吸込み口２６から第１逆止弁を介してシリンダ２２内へ吸い込み、かつ押下げヘッド３０の押下げにより、シリンダ２２内の内容物が第２逆止弁を介してノズル３２から突出されるように設ける。
【００１６】
オーバーキャップ３４は、上記装着筒部１４の外面に嵌合されている。
【００１７】
底部材４０は、周壁部４２と、上底壁部４８と、下底壁部６０と、栓棒６８と、で構成されている。
【００１８】
上記周壁部４２は、上記胴部４の下部内面に嵌着されている。周壁部４２の上端部は小外径部４４に形成されており、周壁部４２の下端からは内向きフランジ部４６を内方突出している。
【００１９】
上記上底壁部４８は、中央部に栓孔５０を有するリング板状であり、その栓孔５０の孔縁から短筒部５２を、上底壁部４８の外周部から第１連結筒部５４を、また裏面内周部から突き当て凸部５６をそれぞれ垂下している。図示の突き当て凸部５６は、筒壁の周方向に間欠的に切欠き５６ａを縦設してなる。もっとも図示例と異なり、当該筒壁から切欠きを省略して単なる筒体としてもよく、或いはボス状（或いは中実棒状）の突き当て凸部５６を上底壁部４８の裏面適所から垂下してもよい。また突き当て凸部５６全体を省略してもよい。上記第１連結筒部５４は、上記周壁部４２の小外径部４４に嵌着されている。上記突き当て凸部５６は、後述の栓体７０が栓孔５０から離脱したときに下底壁部６０に突き当たるように長さを設定している。上底壁部４８の外周からは、胴部４内面に圧接するストッパ片５８を突出している。胴部４へのストッパ片５８の圧接により、胴部４に対して上底壁部４８を固定している。
【００２０】
下底壁部６０は、上面中央部に嵌合穴６２を有する底板として形成され、その底板の外周部に上下スカート状の筒状ピストン６４を周設するとともに、当該底板の裏面内周部から第２連結筒部６６を垂下している。この第２連結筒部に関しては後述する。上記筒状ピストン６４は、上記胴部４内面に液密かつ昇降可能に当接している。
【００２１】
上記栓棒６８は、好適な図示例において大径下端部６８ａを有し、この下端部を嵌合穴６２内に嵌着させて周壁部４２内部へ起立している。栓棒６８の上端部は、その周囲を鍔状に水平方向へ突出させて栓体７０とし、この栓体７０を上記栓孔５０に液密に嵌合させている。
【００２２】
上記上底壁部４８の上面と上底壁部４８より上方の容器体部分内面とで囲まれる空間は第１剤収納室Ａを、また底部材４０の内部は第２剤収納室Ｂをそれぞれ形成する。
【００２３】
支持部材７２は、水平な基盤７４の中央部から支持筒部７６を起立してなる。支持筒部７６の長手方向中間部には、上記内向きフランジ部４６を嵌合させている。また支持筒部７６の上部外面は上記第２連結筒部６６の外面に嵌合させてあり、かつ支持筒部７６の上端面は下底壁部６０裏面に突き当てている。この状態で胴部４及び周壁部４２の各下端と基盤７４との間には、後述のストッパ８０の挿入代をとる。なお、図示例とは異なり、基盤７４を下底壁部６０と一体として形成することもできる。例えば基盤７４及び下底壁部６０の各中央部を支持棒で一体的に連結したような構造としてもよい。
【００２４】
ストッパ８０は、図４に示すように、図面左方を切り欠いた平面視Ｃ字形のストッパ本体８２と、このストッパ本体８２の外面のうち切欠き箇所と反対側に形成した操作片８４とで構成されている。図示の操作片８４は胴部４の周面の外方へ突出している。ストッパ本体８２は周方向全体に亘って一定の幅を有し、かつ基盤７４と内向きフランジ部４６との間に嵌挿させている。Ｃ字形のストッパ本体８２の両端部からは、支持筒部７６へ装着する際に支持筒部７６外面へ当接させるための一対の当接用突片８２ａが突出されている。また上記操作片８４は垂直板状であり、その先端部を上下方向に巾広でありかつ平面視Ｔ字形の摘み部８４ａに形成している。
【００２５】
上記構成によれば、図１の状態からストッパを引抜き、容器体２の胴部４を把持して、支持部材７２の基盤７４を押し上げると、基盤７４とともに底部材４０の下底壁部６０及び栓棒６８が底部材４０の周壁部４２及び上底壁部４８に対して上昇する。これにより栓棒６８の上端の栓体７０が栓孔５０から離脱し、これにより、第１剤収納室Ａ及び第２剤収納室Ｂが連通し、第１剤及び第２剤が混合する。
【００２６】
図５から図６は、本発明の第２実施形態に係る２剤混合容器を示している。本実施形態の説明において、第１実施形態と同じ事柄に関しては、説明を省略する。本実施形態では、図５に示す通り、ストッパ８０を、図面左方を切り欠いた平面視Ｃ字形のストッパ本体８２と、このストッパ本体８２の外面のうち図面上下方向に位置する箇所に付設した一対の操作片８４とで構成している。図示例の操作片８４は図６に想像線で描く胴部４の周面の外へは突出していない。
【００２７】
このストッパ８０を外すときには、基盤７４と胴部４との間に指を入れて、一対の摘み部８４ａに指を掛けて外方へ引っ張ればよい。
【符号の説明】
【００２８】
２…容器体  ４…胴部  ６…口頸部
１０…吐出装置  １２…装着筒部材  １４…装着筒部  １６…内向きフランジ
１７…ガイド筒部  １７ａ…縦溝  
１８…パッキン  ２０…ポンプ本体  ２２…シリンダ  ２４…鍔部
２６…吸込み口  ２８…ステム  ３０…押下げヘッド  ３０ａ…係合突部
３２…ノズル  ３４…オーバーキャップ  
４０…底部材  ４２…周壁部  ４４…小外径部  ４６…内向きフランジ部
４８…上底壁部  ５０…栓孔  ５２…短筒部  ５４…第１連結筒部
５６…突き当て凸部  ５６ａ…切欠き
５８…ストッパ片  
６０…下底壁部  ６２…嵌合穴  ６４…筒状ピストン  ６６…第２連結筒部
６８…栓棒  ６８ａ…大径下端部
７０…栓体  ７２…支持部材  ７４…基盤  ７６…支持筒部
８０…ストッパ  ８２…ストッパ本体  ８２ａ…当接用突片
８４…操作片  ８４ａ…摘み部
Ａ…第１剤収納室  Ｂ…第２剤収納室
【図１】
2015009878.tif 000003
【図２】
2015009878.tif 000004
【図３】
2015009878.tif 000005
【図４】
2015009878.tif 000006
【図５】
2015009878.tif 000007
【図６】
2015009878.tif 000008